(57)【要約】【課題】樹脂アルミ複合サッシで構成される障子と、室内側に開閉用のハンドルを備えたすべり出し窓において、冷熱橋の形成を抑制することが容易であり、結露の発生しにくいすべり出し窓を提供する。【解決手段】室内側に設けた障子開閉部材１１にて、開閉自在に構成するとともに、室内側の樹脂形材と室外側のアルミニウム形材とが連結された樹脂アルミ複合サッシにより形成された障子２を具備し、障子開閉部材は、樹脂材料の支持部材１６を介して障子の室外側アルミニウム形材と連結する。【選択図】      図１
2004308171.tif 000002
【特許請求の範囲】
【請求項１】
室内側に設けられた障子開閉部材にて、開閉自在に構成されるとともに、室内側の樹脂形材と室外側のアルミニウム形材とが連結された樹脂アルミ複合サッシにより形成された障子を具備し、
前記障子開閉部材は、樹脂材料の支持部材を介して前記障子のアルミニウム形材と連結される開口部装置。
【請求項２】
前記樹脂材料の支持部材は、前記樹脂形材の室内側面に当接される本体を有するとともに、前記本体には室外方向に形成された中空部を備え、前記中空部は前記樹脂形材を貫通してその先端は前記樹脂アルミ複合サッシの前記アルミニウム形材の室内側面に当接されている請求項１に記載の開口部装置。
【発明の詳細な説明】
【０００１】
【発明の属する技術分野】
本発明は、樹脂アルミ複合サッシであって、開き窓、すべり出し窓、内倒し窓、外倒し窓等、開閉可能に形成された障子を有する開口部装置に関する。
【０００２】
【従来の技術】
開口スペースをとらず、また内・外からの見栄えも良く、採光面積を確保し風通しがよくなることから、すべり出し窓が住戸に採用されることが多くなっている。すべり出し窓には、窓の軸が左右の横すべり出し窓と、窓の軸が上下の縦すべり出し窓とがある。いずれの窓も軸を中心にして窓を外部へ押し出すことができ、また、高さや幅の取れない場所に適したものである。また、ハンドルによって開閉できるように構成されたこれらの窓は、室内側のクランクハンドルを回すことによって、スムーズに開閉させることが可能である。このハンドルは、隠蔽されたギアケースの中のギアにつながり、そのギアが窓開閉ロッドを動かし、窓を開閉させる。これらすべり出し窓の構造については、特許文献１に、また開閉の構造については特許文献２に開示されている。
【０００３】
一方、近年住宅設備の省エネルギー化が進められており、これに伴って特に寒冷地においては、これらすべり出し窓の障子が通常のアルミニウムサッシから、複層ガラスを備えかつアルミニウム形材の室内側に樹脂形材が装着された樹脂アルミ複合サッシに取って代わられつつある。かかる樹脂アルミ複合サッシ、特に複層ガラスを備えた障子は重量があり、開閉のために回されたハンドルからの力を伝えるロッドを障子に堅固に取り付ける必要がある。
【特許文献１】
特開平９−２２１９５５号公報
【特許文献２】
特開平８−８２１５４号公報
【０００４】
【発明が解決しようとする課題】
しかし、ハンドルの力を伝えるロッドを障子に堅固に固定するために、ロッドと樹脂アルミ複合サッシのアルミニウム形材とを直接連結しようとすると、低温である室外側のアルミニウム形材と室内側ロッドとがいずれも熱伝導率の高い金属で形成されているために、両者の間にいわゆる「冷熱橋」が形成され、この冷熱橋を介して室外の冷気が室内側に伝えられてしまうという問題があった。また、室外側の冷気が室内側に伝えられた結果、室内側のロッドやハンドルの部分に結露が発生するという問題もあった。
【０００５】
そこで、本発明は、樹脂アルミ複合サッシで構成される障子と、室内側に開閉用のハンドルを備えたすべり出し窓等の開口部装置において、冷熱橋の形成を抑制することが容易であり、結露の発生しにくい開口部装置を提供することを課題とする。
【０００６】
【課題を解決するための手段】
以下、本発明について説明する。なお、本発明の理解を容易にするために添付図面の参照符号を括弧書きにて付記するが、それにより本発明が図示の形態に限定されるものではない。
【０００７】
請求項１の発明は、室内側に設けられた障子開閉部材（１１）にて、開閉自在に構成されるとともに、室内側の樹脂形材（２３）と室外側のアルミニウム形材（２４）とが連結された樹脂アルミ複合サッシにより形成された障子（２）を具備し、障子開閉部材は、樹脂材料の支持部材（１６）を介して障子のアルミニウム形材と連結される開口部装置（１０）を提供することにより前記課題を解決しようとするものである。
【０００８】
この発明によれば、室外側に面するアルミニウム形材と、室内側の障子開閉部材との間には熱伝導率が金属より相対的に低い樹脂材料の支持部材が配置されるので、室外の冷気を室内側に伝える冷熱橋の大半を遮断して、障子部における断熱性を高め、結露の発生を抑制することが容易となる。
【０００９】
請求項２の発明は、請求項１に記載の開口部装置（１０）において、樹脂材料の支持部材（１６）は、樹脂形材（２３）の室内側面に当接される本体（５１）を有するとともに、本体には室外方向に形成された中空部（５２、５３）を備え、中空部は樹脂形材を貫通してその先端は樹脂アルミ複合サッシのアルミニウム形材（２４）の室内側面に当接されていることを特徴とする。
【００１０】
この発明によれば、中空部に固着手段を通して障子開閉部材とアルミ樹脂複合サッシのアルミニウム形材とを連結することができる。障子開閉部材を介して伝えられる力は、樹脂材料の中空部及びその内部の固着手段により直接アルミニウム形材側に伝達され、樹脂形材に障子開閉部材からの力が直接伝わることはない。樹脂形材には、アルミニウム形材との間に断熱の目的で空気層が設けられているため、室内外方向には低い機械的強度しか付与されていないが、上記構成により、樹脂形材が破壊されるのを防止することができる。
【００１１】
本発明のこのような作用及び利得は、次に説明する実施の形態から明らかにされる。
【００１２】
【発明の実施の形態】
以下本発明を図面に示す実施形態に基づき説明する。
【００１３】
図１は、本発明の一実施形態にかかる開口部装置としての縦すべり出し窓の概略構成を示す斜視図である。この縦すべり出し窓１０は、窓枠１と、窓枠１にリンク機構により取り付けられた障子２とを備えている。図１において、図面左下方向が室外、図面右上方向が室内側を表している。
【００１４】
窓枠１は、上枠１ａ、下枠１ｃ、右縦枠１ｂ、及び左縦枠１ｄにより矩形に形成され、建物開口部に取り付けられている。一方、障子２は、上桟３、下桟４、右縦框５、及び左縦框６により、窓枠１に内接するように矩形に形成されている。窓枠１、及び障子２の各四辺を構成する枠、桟、框の室内側にはそれぞれに樹脂形材が装着されている。図１において樹脂形材の部分にはスマッジングが付されて表されている。
【００１５】
障子２の上桟３、下桟４には、それぞれステー７ａ、７ｂが取り付けられている。ステー７ａ、７ｂは、複数のリンクをピン連結したリンク機構からなり、かかるすべり出し窓用に一般に用いられているものを利用することができる。このステー７ａ、７ｂには、窓枠１の上枠１ａ、下枠１ｂへの取り付けのために、取り付け部材８ａ、８ｂがそれぞれ連結されている。この取り付け部材８ａ、８ｂは、長尺な帯板状の形状を有し、ネジ止めのための複数のネジ穴が所定の位置に穿孔されている板金部品であり、ステー取り付け部材として標準的な部品をそのまま利用することができる。
【００１６】
取り付け部材８ａ、８ｂは、本来窓枠１の上枠１ａ、下枠１ｃにそれぞれ取り付けられるべきものであるが、図１においては、本縦すべり出し窓１０の構成について、より良い理解を得るために、上枠１ａ、下枠１ｃからそれぞれ室外側に外されたように描かれている。
【００１７】
窓枠１の下枠１ｃの室内側には、ギアケース１２（図２参照）が取り付けられている。ギアケース１２から室内側には障子２の開閉を行うためのハンドル１１が延設されている。ギアケース１２から窓枠の下枠１ｃの内部を介して第一ロッド１３が室外側に延設され、さらにその先に第二ロッド１４、及び第三ロッド１５が設けられ、第三ロッド１５の先端が障子２の下桟４の室内側の面に取り付けられた支持部材１６に当接されている。室内側のハンドル１１、ギアケース１２、第一〜第三ロッド１３〜１５は、障子２の開閉機構２０を構成している。
【００１８】
図２は、開閉機構２０と障子２との連結を示す概略図である。（ａ）は、障子２が全開された状態、（ｂ）は（ａ）の全開状態からやや障子が閉じられた状態を表している。なお、図２においてはステー７ａ、７ｂの図示が省略されており、図の上方が室内側、下方が室外側を示している。
【００１９】
窓枠の下枠１ｃに取り付けられたギアケース１２から室外側に延設された第一ロッド１３の先端には回動部材１７が設けられている。回動部材１７により第一ロッド１３と第二ロッド１４とが回動自由に連結されている。第二ロッド１４の他の先端側にも回動部材１８が取り付けられている。回動部材１８により、第二ロッド１４と第三ロッド１５とが回動自由に連結されている。障子２の下桟４の室内側面には支持部材１６が取り付けられている。第三ロッド１５は、回動部材１８が取り付けられている側とは反対側の端部が「Ｌ」字型に折り曲げられており、その折り曲げられた先端側の面が支持部材１６に当接されている。一方支持部材１６の裏面側は障子下桟４の室内側樹脂形材２３に当接されている。
【００２０】
３本のロッド１３〜１５は、回動部材１７、１８を連結点としたリンク機構を構成し、このリンク機構が開閉機構２０の主体をなしている。ハンドル１１を回転操作すると、ギアケース１２内のギア（不図示）により、下枠１ｃに対する第一ロッド１３の角度が所定量変化される。そしてこれらのロッド１３〜１５により構成されるリンク機構を介して、第三ロッド１５の先端にハンドル１１に加えた力が伝えられる。
【００２１】
支持部材１６の室外側には、円筒状部材が長手方向に２箇所延設されている。
支持部材１６の室内側の面には２つの孔が設けられ、これらの孔は上記円筒状部材の中空部に連通している。円筒状部材は、樹脂形材２３を貫通し、その先端はアルミニウム形材２４の室内側に当接されている。これらについては後に詳述する。
【００２２】
第三ロッド１５の一面には孔が設けられ、この孔と上記連通孔とが連続されて、室内側から室外側に、樹脂形材２３を貫通する孔が形成されている。さらにその先のアルミニウム形材２４にはそれらの孔に連通する孔が形成されている。これらの孔にネジ２１、２２を差し入れて、アルミニウム形材室外側のナット２５、２６に螺合して締め付けることにより、支持部材１６を介して、第三ロッド１５と障子２下桟４のアルミニウム形材２４とが堅固に固定される。かくして、ハンドル１１を回転することにより、開閉機構２０が作用して、不図示のステー７ａ、７ｂにガイドされつつ障子２の開閉が実現される。
【００２３】
図３は、縦すべり出し窓１０の閉鎖状態における垂直断面図である。これは図１において、障子２を閉鎖した場合のＩＩＩ−ＩＩＩ線に沿った垂直断面図に相当する。上枠１ａと下枠１ｃとの間には障子２が配置されている。障子２の上桟３と下桟４との間には、スペーサ３３ａ、３３ｂを挟んだ複層ガラス３１、３２がグレージングチャネル３４ａ、３４ｂを介して取り付けられている。さらに障子２の室内側には網戸３５が取り付けられている。上枠１ａ、上桟３の室内側にはそれぞれ上部樹脂形材３８、３６が取り付けられている。また、下枠１ｃ、下桟４の室内側にはそれぞれ下部樹脂形材３９、３７が取り付けられている。
【００２４】
下枠１ｃの室内側にはギアケース１２が取り付けられ、ギアケース１２には室内側に向けてハンドル１１が取り付けられている。障子２の閉鎖状態における垂直断面では、３つのロッド１３、１４、１５は上下に重なっているように表されており、第三ロッド１５の断面に「Ｌ」字形状が現れている。第三ロッド１５の垂直面は支持部材１６の室内側面に当接されており、支持部材１６の室外側面は下部樹脂形材３７の室内側面に当接されている。
【００２５】
図４は、縦すべり出し窓１０の閉鎖状態における水平断面図である。これは図１において、障子２を閉鎖した場合のＩＶ−ＩＶ線に沿った水平断面図に相当する。
図４においては、図１〜３において説明した部材等は、そこで使用した参照符号と同一参照符号を付して示している。図４において、左縦枠１ｄ（図１とは室内外方向が逆になるので、図３における左右は図１とは逆に表される。）と右縦枠１ｂとの間に障子２が配置され、障子２のさらに室内側には網戸３５が取り付けられている。
【００２６】
障子２の左縦框６と右縦框５との間には、スペーサ３３ｃ、３３ｄを挟んだ複層ガラス３１、３２がグレージングチャネル３４ｃ、３４ｄを介して取り付けられている。さらに障子２の左縦框６の室内側には、樹脂形材４２が、右縦框５の室内側には樹脂形材４１が取り付けられている。
【００２７】
次に図５〜７を参照しつつ、支持部材１６、及び支持部材１６を介して連結されている第三ロッド１５と、障子下桟４のアルミニウム形材２４、並びにこれらの間に配置されている樹脂形材２３について説明する。
【００２８】
まず、図５を参照しつつ、支持部材１６の構造について説明する。図５は支持部材１６を詳細に示す図であり、（ａ）は正面図、（ｂ）は平面図、（ｃ）は側面図である。（ｄ）は、冷熱橋の大きさを表す図であるがその詳細については後に説明する。支持部材１６は、矩形平板の周囲にスカート部５６を配した本体５１と、上記平板の裏面側に設けられた２つの円筒部５２、５３とを備えている。
本体５１の上記平板には２つの孔が設けられ、これらの孔は上記円筒部５２、５３の中空部に連通されて連通孔５４、５５を形成している。なお本体５１の下面側にはスカート部５６と同一高さに適宜リブ５７が設けられている。
【００２９】
支持部材１６は、合成樹脂材料を射出成形することにより一体に形成することができる。本発明において、支持部材１６は合成樹脂にて形成することが必須である。支持部材１６を構成する材料は合成樹脂であれば特に限定されるものではないが、たとえばＰＶＣ、ＰＯＭ、ＰＰＳ、ＰＡＲ、ＰＥＩ、ＰＳＦ、ＰＥＳ、ＰＥＫ、ＰＥＥＫ、ＰＩ、ＰＡＩ等硬さと靭性とを兼ね備えた材料であることが好ましい。支持部材１６を金属類と比較した場合に相対的に熱伝導率の低い合成樹脂により形成することにより、外気に触れるアルミニウム形材２４の冷熱が室内側に伝わるのを抑制することが容易となる。
【００３０】
次に図６及び図７を参照しつつ、樹脂アルミ複合サッシとして構成されている障子下桟４と、第三ロッド１５との連結について説明する。図６は、支持部材１６の円筒部５２に差し入れられた雄ネジ２１の軸心を通る垂直面に沿って示す垂直断面図である。図７は、支持部材１６により連結されている第三ロッド１５及びアルミニウム形材２４をさらに詳しく示しており、（ａ）は水平断面、（ｂ）は垂直断面を示す概略図である。
【００３１】
図６を参照して、樹脂アルミ複合サッシとして構成されている障子下桟４は、室外側にアルミニウム形材２４を設け、このアルミニウム形材２４の室内側に樹脂形材２３が装着されている。アルミニウム形材２４と樹脂形材２３との間には、保温性を高めるために空気層２７が設けられている。
【００３２】
樹脂形材２３には２つの孔が設けられ、これらの孔に支持部材１６の円筒部５２、５３が差し入れられている。樹脂形材２３の室内側面には支持部材１６のスカート部５６の先端が当接されている。さらに支持部材１６の室内側面には「Ｌ」字状の第三ロッド１５の先端面が当接されている。この第三ロッド１５の当接面には、支持部材１６の連通孔５４、５５と位置合わせして２つの孔が設けられている。
【００３３】
支持部材１６の円筒部５２、５３の先端は障子下桟４のアルミニウム形材２４の室内側面に当接されている。アルミニウム形材２４にも、支持部材１６の連通孔５４、５５と位置合わせして２つ孔が設けられている。かくして第三ロッド１５からアルミニウム形材２４に通じる２つの孔が形成され、これらの孔に第三ロッド１５側から雄ネジ２１、２２が差し入れられている。一方、アルミニウム形材２４の室外側に突出した雄ネジ２１、２２の先端には、ナット２５、２６が螺合されている。
【００３４】
以上のような構成をとることにより、第三ロッド１５をアルミニウム形材２４に直接連結する場合に比べて外部の冷熱を効果的に遮断することが容易となる。
すなわち、図５（ｄ）において、第三ロッド１５をアルミニウム形材２４に直接連結する場合に、室内外方向に形成される冷熱橋断面は参照符号５８で示されるスマッジングを付した長方形の広いエリアである。一方、本発明の構成により形成される冷熱橋は、雄ネジ２１、２２の断面すなわち参照符号５９ａ、５９ｂで示される小さな円形の部分に過ぎない。
【００３５】
また、支持部材１６の本体５１の室内側面がロッド１５の力を受けて、円筒部５２、５３の先端でその力をアルミニウム形材２４に伝えるため、空気層２７の存在により、低い剛性しか付与されていない樹脂形材２３は力の伝達に関与していない。したがって、開閉機構２０を介して、ハンドル１１に加えられた力を確実に障子２に伝えることが可能である。
【００３６】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。以下に示す変形例は本発明の技術的範囲に属するものである。
【００３７】
（変形例）
１．円筒部５２、５３は、内部に雄ネジが貫通する孔が形成され、先端に所定面積の当接面が形成されていればよく、外形は必ずしも円筒形状でなくとも良い。
例えば四角柱、多角柱形状をとってもよい。
２．支持部材１６の本体５１は、平板とスカート部の組み合わせに限定されず、直方体ブロック形状、ハニカム形状でも良い。
３．円筒部の数は２つに限定されることなく、適宜強度を考慮の上、定めれば良い。
４．雄ネジは、経済性、入手製、加工性等の面から鋼等の金属材料が好ましく使用されるが、熱伝導率の低い材料を使用してさらに冷熱橋による伝熱を抑制するという観点から、セラミックネジを使用しても良い。また本発明は固着手段として、ネジのみには限定されず、例えばリベット等を使用することも可能である。
５．本発明は、上記実施形態において説明した縦すべり出し窓に限定されず、開き窓、内倒し窓、外倒し窓等、開閉する障子を備える他の形態の開口部装置にも適用可能である。
６．上記実施形態では、開閉機構２０の第三ロッド１５が障子２の左側部に取り付けられている例を示したが、これとは鏡像の関係となる位置に各部材を配置して開口部装置を構成しても良い。
【００３８】
【発明の効果】
以上に説明したように、請求項１の発明によれば、室外側に面するアルミニウム形材と、室内側の障子開閉部材との間には熱伝導率が金属より相対的に低い樹脂材料の支持部材が配置されるので、室外の冷気を室内側に伝える冷熱橋の大半を遮断して、障子部における断熱性を高め、結露の発生を抑制することが容易となる。
【００３９】
また、請求項２の発明によれば、中空部に固着手段を通して障子開閉部材とアルミ樹脂複合サッシのアルミニウム形材とを連結することができる。障子開閉部材を介して伝えられる力は、樹脂材料の中空部及びその内部の固着手段により直接アルミニウム形材側に伝達され、樹脂形材に障子開閉部材からの力が直接伝わることはない。樹脂形材には、アルミニウム形材との間に断熱の目的で空気層が設けられているため、室内外方向には低い機械的強度しか付与されていないが、上記構成により、樹脂形材が破壊されるのを防止することができる。
【図面の簡単な説明】
【図１】縦すべり出し窓の概略構成を示す斜視図である。
【図２】開閉機構と障子との連結部を示す概略図である。
【図３】縦すべり出し窓の閉鎖状態における垂直断面図である。
【図４】縦すべり出し窓の閉鎖状態における水平断面図である。
【図５】支持部材１６を詳細に示す図であり、（ａ）は正面図、（ｂ）は平面図、（ｃ）は側面図である。（ｄ）は、冷熱橋の断面を示す図である。
【図６】支持部材の軸心を通る垂直面に沿って示す垂直断面図である。
【図７】支持部材により連結されているロッド及びアルミニウム形材をさらに詳しく示す（ａ）は水平断面、（ｂ）は垂直断面を示す概略図である。
【符号の説明】
２  障子
１０  すべり出し窓（開口部装置）
１１  ハンドル（障子開閉部材）
１３、１４、１５  ロッド
１６  支持部材
２３  樹脂形材
２４  アルミニウム形材
５１  本体
５２、５３  円筒部（中空部）
【図１】
2004308171.tif 000003
【図２】
2004308171.tif 000004
【図３】
2004308171.tif 000005
【図４】
2004308171.tif 000006
【図５】
2004308171.tif 000007
【図６】
2004308171.tif 000008
【図７】
2004308171.tif 000009